(57)【要約】【課題】待機応答ＬＳＩを備えた通信端末装置において、バックエンドシステムが頻繁に通常モードに復帰してしまうことを防止した通信端末装置を提供する。【解決手段】複合機１０は、バックエンドシステム１３と、待機応答ＬＳＩ１２と、を備えている。バックエンドシステム１３は、ネットワーク８０を介して受信したパケットを処理できる通常モードと、前記パケットを処理する機能が制限される省電力モードと、を切り替え可能である。待機応答ＬＳＩ１２は、バックエンドシステム１３が省電力モードのときに、可能であればバックエンドシステム１３に代わって前記パケットを処理する。また当該待機応答ＬＳＩは、前記パケットを処理できない場合は、バックエンドシステムを通常モードに復帰させるべきか否かをパケットの送信元アドレスに基づいて判定し、復帰させるべきと判定した場合のみバックエンドシステムを前記通常モードに復帰させる。【選択図】図１
2012151681.tif 000002
【特許請求の範囲】
【請求項１】
ネットワークを介して受信したパケットを処理できる通常モードと、前記パケットを処理する機能が制限される省電力モードと、を切り替え可能なメインシステムと、
前記メインシステムが前記省電力モードのときに、可能であれば前記メインシステムに代わって前記パケットを処理し、前記パケットを処理できない場合は、前記メインシステムを前記通常モードに復帰させるべきか否かを前記パケットの送信元アドレスに基づいて判定し、復帰させるべきと判定した場合のみ前記メインシステムを前記通常モードに復帰させるサブシステムと、
を備えることを特徴とする通信端末装置。
【請求項２】
請求項１に記載の通信端末装置であって、
前記サブシステムは、前記メインシステムを前記通常モードに復帰させるべき前記送信元アドレスと、前記メインシステムを前記通常モードに復帰させるべきでない前記送信元アドレスと、の少なくとも何れか一方を登録するアドレス登録部を備え、
当該サブシステムは、前記アドレス登録部の登録内容に基づいて前記判定を行うことを特徴とする通信端末装置。
【請求項３】
請求項２に記載の通信端末装置であって、
前記アドレス登録部は、ポートごとに前記送信元アドレスを登録できることを特徴とする通信端末装置。
【請求項４】
請求項２又は３に記載の通信端末装置であって、
前記アドレス登録部の登録内容を、前記パケットの受信履歴に基づいて自動的に更新することを特徴とする通信端末装置。
【発明の詳細な説明】
【技術分野】
【０００１】
本発明は、待機応答モードと通常モードを切り替え可能な通信端末装置において、待機応答モードから通常モードへの復帰を制御するための構成に関する。
【背景技術】
【０００２】
近年、コピーファクシミリ複合機などの省電力化が厳しく要求されている。そこで、このようなコピーファクシミリ複合機は、通常時よりも消費電力を抑えた省電力モードに切り替え可能に構成される場合がある。特許文献１は、このような省電力モードを有するマルチファンクションデバイス（複合機）を開示している。
【０００３】
一方で、上記のようなコピーファクシミリ複合機は、ネットワークに接続され、通信端末装置として利用される場合がある。このようにネットワークに接続されている通信端末装置は、送信されてくるパケットに対して適切に応答できることが要求される。ところが、省電力モードではＣＰＵ等の電源がＯＦＦ（又はＯＦＦに近い状態）とされているため、パケットを受信しても適切な処理を行うことができない。
【０００４】
特許文献１は、パケットを受信したときに、省電力モードから通常モードに復帰して適宜の処理を行う構成である。このようにパケットを受信するたびに通常モードに復帰してしまうと、消費電力を削減する効果を十分に発揮することができない。この点、特許文献１は、省電力モードの機器に対しては状態監視用パケットを送信しないようにすることで、不用意に省電力モードから復帰することがないとしている。ところが特許文献１の構成では、パケットの送信元の機器は、送信先の機器が省電力モードであるか否かを常に把握しておかなければならない。
【０００５】
そこで、待機応答ＬＳＩにパケットの応答処理を行わせ、バックエンドのシステムは電源ＯＦＦに近い状態（ＣＰＵスリープ等）とすることにより、消費電力を削減する効果を狙った通信端末装置が提案されている。待機応答ＬＳＩは、特定のパケットに応答することに特化した集積回路であり、バックエンドシステムに比べて消費電力が著しく低くなっている。この構成によれば、バックエンドシステムの電源をＯＦＦに近い状態としたままパケットへの応答が可能なので、パケットの送信元の機器は、送信先の機器が省電力モードであるか否かを気にすることなくパケットを送信することができる。
【０００６】
しかし、待機応答ＬＳＩの機能は限定されているので、当該待機応答ＬＳＩで全てのパケットに対応できる訳ではない。そこで、待機応答ＬＳＩがパケットに対応できなかった場合には、バックエンドシステムを起動して、当該バックエンドシステムでパケットに応答するように構成されている。
【先行技術文献】
【特許文献】
【０００７】
【特許文献１】特開２００７−１０２６３０号公報
【発明の概要】
【発明が解決しようとする課題】
【０００８】
ところがネットワークには様々なパケットが流れており、待機応答ＬＳＩで応答できないパケットも頻繁に受信される。このため、バックエンドシステムが頻繁に起動してしまい、消費電力を削減するという目的を十分に達成することができないという問題があった。
【０００９】
本発明は以上の事情に鑑みてされたものであり、その目的は、待機応答ＬＳＩを備えた通信端末装置において、バックエンドシステムが頻繁に通常モードに復帰してしまうことを防止した通信端末装置を提供することにある。
【課題を解決するための手段及び効果】
【００１０】
本発明の解決しようとする課題は以上の如くであり、次にこの課題を解決するための手段とその効果を説明する。
【００１１】
本発明の観点によれば、以下の構成の通信端末装置が提供される。即ち、この通信端末装置は、メインシステムと、サブシステムと、を備える。メインシステムは、ネットワークを介して受信したパケットを処理できる通常モードと、前記パケットを処理する機能が制限される省電力モードと、を切り替え可能である。前記サブシステムは、前記メインシステムが前記省電力モードのときに、可能であれば前記メインシステムに代わって前記パケットを処理する。また当該サブシステムは、前記パケットを処理できない場合は、前記メインシステムを前記通常モードに復帰させるべきか否かを前記パケットの送信元アドレスに基づいて判定し、復帰させるべきと判定した場合のみ前記メインシステムを前記通常モードに復帰させる。
【００１２】
このように、メインシステムを省電力モードから通常モードに復帰させるか否かを、パケットの送信元のアドレスに基づいて判断することにより、不必要に通常モードへ復帰してしまうことを防止し、不要な電力の消費を抑えることができる。
【００１３】
上記の通信端末装置は、以下のように構成されることが好ましい。即ち、前記サブシステムは、前記メインシステムを前記通常モードに復帰させるべき前記送信元アドレスと、前記メインシステムを前記通常モードに復帰させるべきでない前記送信元アドレスと、の少なくとも何れか一方を登録するアドレス登録部を備える。そして当該サブシステムは、前記アドレス登録部の登録内容に基づいて前記判定を行う。
【００１４】
このように、メインシステムを復帰させる必要のあるアドレス（又は復帰させる必要のないアドレス）を予め登録しておくことにより、パケットを受信したときに、メインシステムを復帰させるべきか否かをサブシステムにおいて判定することができる。
【００１５】
上記の通信端末装置において、前記アドレス登録部は、ポートごとに前記送信元アドレスを登録できることが好ましい。
【００１６】
これにより、メインシステムを通常モードに復帰させる送信元アドレスをポート毎に異ならせることができるので、より適切な処理が可能となる。
【００１７】
上記の通信端末装置は、前記アドレス登録部の登録内容を、前記パケットの受信履歴に基づいて自動的に更新することが好ましい。
【００１８】
これにより、送信元アドレスをユーザが自ら設定する手間を省くことができる。
【図面の簡単な説明】
【００１９】
【図１】本発明の一実施形態に係るコピーファクシミリ複合機の構成を示す図。
【図２】複合機が通常モードのときの様子を説明する図。
【図３】複合機が通常モードから待機応答モードへ移行するときの様子を説明する図。
【図４】複合機が待機応答モードのときの様子を説明する図。
【図５】複合機が待機応答モードから通常モードへ復帰するときの様子を説明する図。
【図６】アドレス登録部に登録される復帰応答用のアドレスの一例を示す図。
【図７】待機応答モードにおいて待機応答ＬＳＩがパケットを受信した際の処理を示すフローチャート。
【発明を実施するための形態】
【００２０】
次に、図面を参照して本発明の実施の形態を説明する。本発明の一実施形態に係る通信端末装置としてのコピーファクシミリ複合機１０は、ネットワーク８０に接続可能であり、ネットワークプリンタ、ネットワークスキャナ等として機能するように構成されている。
【００２１】
図１に示すように、複合機１０は、ネットワークインタフェース１１、待機応答ＬＳＩ（サブシステム）１２、バックエンドシステム（メインシステム）１３、画像読取部１４、画像形成部１５、ファクシミリ送受信部１６を備えている。
【００２２】
画像読取部１４は原稿画像の読み取りを行う。画像形成部１５は用紙への画像の印刷を行う。ファクシミリ送受信部１６は、公衆回線８１を介したファクシミリ送受信を行う。これら画像読取部１４、画像形成部１５、ファクシミリ送受信部１６の構成は公知なので、詳細な説明は省略する。
【００２３】
ネットワークインタフェース１１は、複合機１０をネットワーク８０に接続するためのハードウェアである。ネットワーク８０には多数のクライアント端末７０が接続されている。各クライアント端末７０は、ネットワーク８０を介して複合機１０との間でパケットの送受信を行うことができる。
【００２４】
バックエンドシステム１３は、ＣＰＵ３１、ＲＡＭ３２、フラッシュメモリ３３等のハードウェアと、フラッシュメモリ３３に記憶された制御プログラム等のソフトウェアと、から構成されている。そしてバックエンドシステム１３は、前記制御プログラムをフラッシュメモリ３３からＲＡＭ３２にロードし、ＣＰＵ３１において実行することで、複合機１０の各構成を制御するようになっている。なお、バックエンドシステム１３は、ＣＰＵ３１、ＲＡＭ３２、フラッシュメモリ３３等の電源をＯＦＦに近い状態（ＣＰＵスリープ等）とした省電力モードに切り替えることができるように構成されている。
【００２５】
待機応答ＬＳＩ１２は、ネットワークインタフェース１１とバックエンドシステム１３との間に設置されている。待機応答ＬＳＩ１２は、ネットワーク８０の維持管理用のリクエストパケットに応答することに特化した集積回路である。待機応答ＬＳＩ１２は、バックエンドシステム１３に比べて機能は限定されているものの、消費電力は通常モードのバックエンドシステム１３に比べて極めて小さくなっている。
【００２６】
上記のようなネットワーク維持管理のためのパケットは、一例を挙げれば、ＡＲＰ（Ａｄｄｒｅｓｓ  Ｒｅｓｏｌｕｔｉｏｎ  Ｐｒｏｔｏｃｏｌ）、ＳＮＭＰ（Ｓｉｍｐｌｅ  Ｎｅｔｗｏｒｋ  Ｍａｎａｇｅｍｅｎｔ  Ｐｒｏｔｏｃｏｌ）等のプロトコルを用いて送信される。ネットワーク８０の維持管理を行う機器（以下、管理者と言う）は、上記のようなＡＲＰリクエスト、ＳＮＭＰリクエストを各機器に送信し、各機器からの返信を受信して、各機器の異常の有無などを確認する。管理者は、これにより、ネットワーク８０の維持管理を行うようになっている。
【００２７】
また、この複合機１０は、各構成を稼動させた状態の「通常モード」と、通常モードよりも消費電力を抑えた「待機応答モード」と、を切り替えることができるように構成されている。次に、複合機１０の「通常モード」と「待機応答モード」について説明する。
【００２８】
図２に示すように、複合機１０が通常モードのとき、待機応答ＬＳＩ１２はトンネル状態となり、ネットワークを介して送信されてきたパケットにはバックエンドシステム１３が応答する。例えば、クライアント端末７０からネットワーク８０を介して印刷データ送信されてきた場合、バックエンドシステム１３は、前記印刷データに基づいて画像形成部１５に印刷を行わせる。また、ネットワークの維持管理用のパケットに対しては、バックエンドシステム１３が適切なリプライパケットを返す。
【００２９】
複合機１０の通常モードから待機応答モードへの移行は、ユーザが特定の操作を行うことで行われる。また、特定の条件を満たした場合に、複合機１０が通常モードから待機応答モードへ自動的に移行するように構成しても良い。図３に示すように、複合機１０が待機応答モードに以降する際、バックエンドシステム１３は、待機応答ＬＳＩに対して待機応答用のＳＮＭＰ情報１００と、復帰応答用の送信元アドレス１０２と、を設定する。
【００３０】
複合機１０が待機応答モードに移行した場合、バックエンドシステム１３の電源がＯＦＦに近い状態（省電力モード）となるため、当該バックエンドシステム１３ではパケットへの応答が行えない。そこで図４に示すように、省電力モードのバックエンドシステム１３に代わって待機応答ＬＳＩ１２がパケットへの応答を行う。このとき、待機応答ＬＳＩ１２は、設定されたＳＮＭＰ情報１００に基づいて、ネットワーク維持管理用のパケットに対する応答を行う。これにより、バックエンドシステム１３が省電力モードであっても、ネットワークの維持管理を継続することができる。
【００３１】
また、複合機１０が待機応答モードのとき、画像読取部１４、画像形成部１５、及びファクシミリ送受信部１６への給電も停止（又は停止に近い状態）とされる。これにより、待機応答モードにおいては、複合機１０全体の消費電力は極めて小さいものとなる。
【００３２】
ところで、待機応答ＬＳＩ１２に登録できるＳＮＭＰの設定には限りがあるので、待機応答ＬＳＩ１２が全てのＳＮＭＰリクエストに応答できる訳ではない。また、待機応答モードに移行してからある程度時間が経過してしまうと、待機応答ＬＳＩ１２に登録されているＳＮＭＰ情報が古くなってしまう。このような場合は、バックエンドシステム１３で情報の再収集を行わなければならない。また、複合機１０に印刷データが送信されてきた場合などは、バックエンドシステム１３、画像形成部１５等を起動させて、適切に印刷処理を行わせる必要がある。
【００３３】
以上のような場合は、待機応答ＬＳＩ１２でパケットの処理を行うことができない。このような場合、待機応答ＬＳＩ１２は、図５に示すように、バックエンドシステム１３に対して通常モードへの復帰通知１０１を送信する。復帰通知１０１を受けたバックエンドシステム１３は、ＣＰＵ３１、ＲＡＭ３２、フラッシュメモリ３３等の電源をＯＮとする。一方で、待機応答ＬＳＩ１２はトンネル状態に移行する。これにより、複合機１０は通常モード（図２の状態）に復帰し、バックエンドシステム１３が待機応答ＬＳＩ１２に代わってパケットの処理を行うことができる。
【００３４】
ところが前述のように、ネットワーク８０には様々なパケットが流れており、待機応答ＬＳＩ１２で応答できないパケットも複合機１０に頻繁に受信される。このため、バックエンドシステム１３の電源が頻繁にＯＮになってしまい、消費電力を削減するという目的を十分に達成することができていなかった。
【００３５】
そこで本実施形態の待機応答ＬＳＩ１２は、当該待機応答ＬＳＩ１２で応答できないパケットが受信された場合、当該パケットが特定のアドレスから送信されたものである場合に限り、バックエンドシステム１３を通常モードに復帰させるように構成されている。このように、バックエンドシステム１３を通常モードに復帰させる送信元アドレスを限定することで、バックエンドシステム１３の電源が頻繁にＯＮになってしまうことを防ぎ、消費電力を削減することができる。以下、具体的に説明する。
【００３６】
本実施形態の待機応答ＬＳＩ１２は、バックエンドシステム１３を通常モードに復帰させて応答する必要のある送信元アドレス（復帰応答用のアドレス１０２）を登録するアドレス登録部２１を備えている。この復帰応答用のアドレス１０２は、前述のように、待機応答モードに移行する際にバックエンドシステム１３によって設定される。
【００３７】
アドレス登録部２１に登録される復帰応答用のアドレスの一例を、図６に示す。図６に示すように、登録するアドレスは、ＭＡＣアドレス２１１でも良いし、ＩＰアドレス２１２でも良い。また、アドレス登録部２１に登録する復帰応答用のアドレスは、１つでも良いし、複数でも良い。また、図６のＩＰアドレス２１２（１９２．１６８．１．２５５）は、「ネットワーク（１９２．１６８．１．０）に含まれる端末全て」を示すブロードキャストアドレスである。このように、ＩＰアドレス２１２を指定する場合には、アドレスの範囲を指定することもできる。
【００３８】
以下、図７のフローチャートを参照して、待機応答モードの複合機１０がパケットを受信したときの処理について説明する。待機応答モードの複合機１０がＳＹＮパケットを受信（Ｓ１０１）した場合、待機応答ＬＳＩ１２は、受信したフレーム、パケットの解析を行う（Ｓ１０２）。続いて待機応答ＬＳＩ１２は、当該パケットに対して自身が応答可能であるかを判定する（Ｓ１０３）。応答可能である場合、待機応答ＬＳＩ１２はリプライパケットを生成して送信元のアドレスに返信する。この場合は、バックエンドシステム１３を通常モードに復帰させる必要がないので、そのままフローを終了する。
【００３９】
待機応答ＬＳＩでは受信したパケットに応答できない場合、当該待機応答ＬＳＩ１２は、解析したフレーム、パケットのＭＡＣアドレス又はＩＰアドレスがアドレス登録部２１に登録されているか否かを判定する（Ｓ１０６）。このようなアドレスの比較は簡単な構成で実現可能であるから、待機応答ＬＳＩ１２でも行うことができる。
【００４０】
フレーム、パケットの送信元アドレスがアドレス登録部２１に登録されていた場合、待機応答ＬＳＩ１２は、複合機１０を通常モードに復帰させる（Ｓ１０７）。一方、フレーム、パケットの送信元アドレスがアドレス登録部２１に登録されていない場合、待機応答ＬＳＩ１２は複合機１０を通常モードに復帰させない。この場合、送信されてきたパケットは単に無視される（Ｓ１０８）。
【００４１】
ここで、アドレス登録部２１に登録するアドレスは、重要性の高いアドレスを登録しておけば好適である。重要性の高いアドレスとは、例えば、ネットワーク８０の管理者のアドレス、複合機１０を頻繁に利用するクライアント端末７０のアドレス等である。このようにすれば、重要性の低いアドレス（わざわざ待機応答モードから通常モードに復帰してまで応答する必要のないアドレス）から送信されてきたパケットに対しては、通常モードに復帰しないので、不要な電気を消費してしまうことを防止できる。
【００４２】
この場合、例えば、アドレス登録部２１にアドレスが登録されていないクライアント端末７０は、複合機１０が待機応答モードのときには印刷機能等を利用することができない。しかしながら、複合機１０を頻繁に利用するクライアント端末７０は通常限られている（例えば、複合機１０と同一のフロアに設置されたクライアント端末）。従って、複合機１０を頻繁には利用しないクライアント端末７０（例えば、複合機１０とは別のフロアに設置されたクライアント端末）から送信されてきたパケットは、上記のように無視してしまっても実質的には問題無いのである。
【００４３】
なお、アドレス登録部２１にアドレスが１つも登録されていない場合は、「パケットの送信元のアドレスに応じて通常モードに復帰させるか否かを判断する」という処理を行う意図がないものと考えられる。そこで、待機応答ＬＳＩ１２でパケットに応答できなかった場合（Ｓ１０３の判断）、アドレス登録部２１にアドレスが１つ以上登録されているか否かを判定し（Ｓ１０５）、アドレスが１つも登録されていない場合は、ステップＳ１０６の判定を行わずに複合機１０を通常モードに復帰させる（Ｓ１０７）ようにしている。
【００４４】
上記のような復帰応答用のアドレスは、ユーザ又は管理者が適宜の操作を行うことにより、バックエンドシステム１３に記憶させることができる。一方で、本実施形態の複合機１０は、上記復帰応答用のアドレスを自動的に設定することもできるように構成されている。例えば上記の説明では、複合機１０に頻繁にアクセスしているクライアント端末７０のアドレスをアドレス登録部２１に登録するとして説明しているが、これは複合機１０に対するアクセス履歴を参照することによって自動的に登録することができる。
【００４５】
具体的には、待機応答ＬＳＩ１２は、待機応答モードで受信したパケットの送信元アドレスの履歴を保持できるように構成されている。またバックエンドシステム１３は、通常モードで受信したパケットの送信元アドレスの履歴を保持できるように構成されている。バックエンドシステム１３は、通常モードに復帰したときに、待機応答ＬＳＩ１２が保持している前記履歴を取得する。そしてバックエンドシステム１３は、自身が保持している履歴と、待機応答ＬＳＩ１２が保持している履歴とを参照して、所定以上の頻繁で複合機１０に頻繁にパケットを送信しているアドレスを抽出し、当該アドレスをアドレス登録部２１に登録する。
【００４６】
また、アドレス登録部２１に登録する復帰応答用のアドレスは、サーバ側のポートごとに登録する（サーバ側ポート番号と復帰応答用のアドレスを対応付けて登録する）ことができるように構成されていれば好適である。例えば、ＳＮＭＰ用のサーバ側ポートを指定して、ネットワーク管理者のアドレスを登録しておく。ＳＮＭＰリクエストのパケットは、通常、ネットワーク管理者が送信するものだからである。また例えば、印刷データ用のサーバ側ポートを指定して、一般のクライアント端末７０のアドレスを登録しておく。
【００４７】
そして、受信したパケットに待機応答ＬＳＩ１２が応答できない場合、当該待機応答ＬＳＩ１２は、受信したパケットの送信元アドレスと当該パケットのサーバ側ポートとが対応付けされてアドレス登録部２１に登録されている場合のみ、複合機１０を通常モードに復帰させる。この構成によれば、例えば、ネットワーク管理者からＳＮＭＰリクエストが送信されてきた場合には通常モードに移行して応答し、管理者ではない一般のクライアント端末７０がＳＮＭＰリクエストを送信してきた場合は通常モードに移行せずにパケットを無視するが、当該一般のクライアント端末７０が印刷データを送信してきたときには無視せずに通常モードへ移行して印刷を行う、というように、パケットの種類に応じた柔軟な応答が可能となる。
【００４８】
以上で説明したように、本実施形態の複合機１０は、バックエンドシステム１３と、待機応答ＬＳＩ１２と、を備えている。バックエンドシステム１３は、ネットワーク８０を介して受信したパケットを処理できる通常モードと、前記パケットを処理する機能が制限される省電力モードと、を切り替え可能である。待機応答ＬＳＩ１２は、バックエンドシステム１３が省電力モードのときに、可能であればバックエンドシステム１３に代わって前記パケットを処理する。また当該待機応答ＬＳＩ１２は、前記パケットを処理できない場合は、バックエンドシステム１３を通常モードに復帰させるべきか否かをパケットの送信元アドレスに基づいて判定し、復帰させるべきと判定した場合のみバックエンドシステム１３を前記通常モードに復帰させる。
【００４９】
このように、バックエンドシステム１３を省電力モードから通常モードに復帰させるか否かを、パケットの送信元のアドレスに基づいて判断することにより、不必要に通常モードへ復帰してしまうことを防止し、不要な電力の消費を抑えることができる。
【００５０】
また本実施形態の複合機１０は、以下のように構成されている。即ち、待機応答ＬＳＩ１２は、バックエンドシステム１３を通常モードに復帰させるべき送信元アドレスを登録するアドレス登録部２１を備える。そして待機応答ＬＳＩ１２は、前記アドレス登録部２１の登録内容に基づいて前記判定を行う。
【００５１】
このように、バックエンドシステム１３を復帰させる必要のあるアドレスを予め登録しておくことにより、パケットを受信したときに、バックエンドシステム１３を復帰させるべきか否かを待機応答ＬＳＩ１２において判定することができる。
【００５２】
また本実施形態の複合機１０において、アドレス登録部２１は、ポートごとに前記送信元アドレスを登録できることが好ましい。
【００５３】
これにより、バックエンドシステム１３を通常モードに復帰させる送信元アドレスをポート毎に異ならせることができるので、より適切な処理が可能となる。
【００５４】
また本実施形態の複合機１０は、前記アドレス登録部２１の登録内容を、前記パケットの受信履歴に基づいて自動的に更新する。
【００５５】
これにより、送信元アドレスをユーザが自ら設定する手間を省くことができる。
【００５６】
以上に本発明の好適な実施の形態を説明したが、上記の構成は例えば以下のように変更することができる。
【００５７】
上記実施形態では、バックエンドシステム１３を通常モードに復帰させる送信元アドレスを登録するように構成したが、バックエンドシステム１３を通常モードに復帰させない送信元アドレスを登録するように構成しても良い。
【００５８】
待機応答ＬＳＩ１２は、応答できないパケットの送信元がアドレス登録部２１に登録されていない場合には、当該パケットは無視する（Ｓ１０８）としたが、これに代えて、待機応答ＬＳＩ１２が送信元に対してエラーメッセージを返信するように構成しても良い。
【００５９】
本発明の構成は、コピーファクシミリ複合機に限らず、例えば単独のネットワークプリンタ、単独のネットワークスキャナ等、各種の通信端末装置に適用することができる。
【符号の説明】
【００６０】
１０  複合機（情報端末装置）
１２  待機応答ＬＳＩ（サブシステム）
１３  バックエンドシステム（メインシステム）
２１  アドレス登録部
【図１】
2012151681.tif 000003
【図２】
2012151681.tif 000004
【図３】
2012151681.tif 000005
【図４】
2012151681.tif 000006
【図５】
2012151681.tif 000007
【図６】
2012151681.tif 000008
【図７】
2012151681.tif 000009